(57)【要約】  【課題】高さの低い小型などの冷蔵庫では上方よりヒンジが見えてしまい外観を損ねるという課題を有していた。  【解決手段】冷蔵室扉４は、ヒンジ部５をそれぞれ別体に構成したヒンジ本体６とヒンジピン７とを備え、冷蔵室扉４の上部に樹脂で成形した枠体８にはヒンジ部５を収納するために後方のみに開口部９を有した収納部１０を有し、ヒンジピン７は下方より上方へ付勢するバネ２０を備えたことにより、コンパクトな構造でヒンジ部の高さを低くでき、冷蔵室扉４のヒンジ部５の外観意匠を向上させることができる。【選択図】図５
2007132533.tif 000002
【特許請求の範囲】
【請求項１】
上部に樹脂製の枠体を有する回転式扉のヒンジピンと、前記ヒンジピンを支持するヒンジ本体とを別体に構成する冷蔵庫において、前記枠体にヒンジ機構を収納する収納部を備え、前記ヒンジピンは下方より上方へ付勢する付勢手段を備えたことを特徴とする冷蔵庫用扉。
【請求項２】
前記収納部は後方のみ開口部を有し前記開口部の高さを前記ヒンジピンの長さより小さくしたことを特徴とする請求項１に記載の冷蔵庫用扉。
【請求項３】
ヒンジ機構を収納する収納部の下部にヒンジピンを通すための孔を備えたことを特徴とする請求項１または２に記載の冷蔵庫用扉。
【請求項４】
ヒンジピンを通すための孔を下方より塞ぐ下キャップを有することを特徴とする請求項２または３に記載の冷蔵庫用扉。
【請求項５】
孔を下方より塞ぐ下キャップとヒンジピンとの間にバネを介在させたことを特徴とする請求項４に記載の冷蔵庫用扉。
【請求項６】
孔を下方より塞ぐ下キャップを前記枠体に回転固定することを特徴とする請求項３から５のいずれか一項に記載の冷蔵庫用扉。
【請求項７】
孔を下方より塞ぐ下キャップとヒンジピンとの間に介在するバネの上端面を、ヒンジピンを通すための孔の下端面より下方に位置させることを特徴とする請求項５または６に記載の冷蔵庫用扉。
【請求項８】
ヒンジピンの上部を覆う上キャップを有し、前記上キャップを前記ヒンジ本体の孔に下方より挿入することを特徴とする請求項１から７のいずれか一項に記載の冷蔵庫用扉。
【請求項９】
ヒンジピンの上部を覆う上キャップの周縁にフランジを形成したことを特徴とする請求項８に記載の冷蔵庫用扉。
【請求項１０】
ヒンジピンの上部を覆う上キャップの外周にリブを形成したことを特徴とする請求項８または９に記載の冷蔵庫用扉。
【発明の詳細な説明】
【技術分野】
【０００１】
本発明は冷蔵庫用扉に係り、回転式扉の開閉時に回転支持するヒンジ機構に関するものである。
【背景技術】
【０００２】
近年、表面意匠を重視した冷蔵庫を市場から求められるとともに、上扉枠の側面後方のヒンジ取り付け部のみを一段落とすことで扉の正面よりヒンジ機構を見えなくすることができ、冷蔵庫外観の意匠の向上を図っている（例えば、特許文献１参照）。
【０００３】
図６は特許文献１に記載された従来の冷蔵庫扉の要部分解斜視図を示すものである。
【０００４】
図６に示すように、回転式扉１０１を構成する扉外面板１０２の上面一側後方に一段低くした開口部１０３を設けるとともに、この開口部１０３に上部ヒンジ１０４の肉厚に対応する段差面１０５およびヒンジピン１０６に対応する軸受１０７を有するコーナーキャップ１０８を被せる。また、扉内面板１０９の一側上部に切欠部１１０を設けて、周縁部をコーナーキャップ１０８の後方端面１１１および扉外面板１０２の後部フランジ１１２に当接させ、扉外面板１０２と扉内面板１０９間に発泡断熱材を充填する構成となっている。
【０００５】
以上のように構成することにより、扉の正面から見たとき上部ヒンジ１０４がコーナーキャップ１０８等に隠れて見えないため、正面からの外観がより美しくなり意匠の向上が図れることになる。
【特許文献１】特開平８−１７８５１５号公報
【発明の開示】
【発明が解決しようとする課題】
【０００６】
しかしながら、上記従来の構成では、高さの低いものや小型などの冷蔵庫では上方よりヒンジが見えてしまい、外観を損ねるという課題を有していた。
【０００７】
本発明は、上記従来の課題を解決するもので高さの低いものや小型などの冷蔵庫のヒンジ機構を見えにくくし、外観がより美しい冷蔵庫を提供することを目的とする。
【課題を解決するための手段】
【０００８】
上記従来の課題を解決するために、本発明の冷蔵庫扉は、上部に樹脂製の枠体を有する回転式扉のヒンジピンと、前記ヒンジピンを支持するヒンジ本体とを別体に構成する冷蔵庫において、前記枠体にヒンジ機構を収納する収納部を備え、前記ヒンジピンは下方より上方へ付勢する付勢手段を備えたものである。
【０００９】
これによって、枠体を利用してヒンジ機構をコンパクトな構造とすることができる。
【発明の効果】
【００１０】
以上説明したように、本発明の冷蔵庫扉は、扉の上部に設置された樹脂製の枠体のヒンジ機構を収納する収納部をコンパクトにでき、冷蔵庫用扉のヒンジ部の外観意匠を向上させることができる。
【発明を実施するための最良の形態】
【００１１】
請求項１に記載の発明は、上部に樹脂製の枠体を有する回転式扉のヒンジピンと、前記ヒンジピンを支持するヒンジ本体とを別体に構成する冷蔵庫において、前記枠体にヒンジ機構を収納する収納部を備え、前記ヒンジピンは下方より上方へ付勢する付勢手段を備えたことにより、簡易な構造で冷蔵庫用扉のヒンジ部の外観意匠を向上させることができる。
【００１２】
請求項２に記載の発明は、請求項１に記載の発明において、前記収納部は後方のみ開口部を有し前記開口部の高さを前記ヒンジピンの長さより小さくしたものであり、開口部高さを低くでき、冷蔵庫用扉のヒンジ部の外観意匠を向上させることができる。
【００１３】
請求項３に記載の発明は、請求項１または２に記載の発明において、ヒンジ機構を収納する収納部の下部にヒンジピンを通すための孔を備えたことにより、ヒンジ機構を前面や上面から見えにくくすることができ、さらに冷蔵庫用扉のヒンジ部の外観意匠を向上させることができる。
【００１４】
請求項４に記載の発明は、請求項２または３に記載の発明において、ヒンジピンを通すための孔を下方より塞ぐ下キャップを有することにより、さらに開口部を狭くでき、冷蔵庫用扉のヒンジ部の外観意匠を向上させることができる。
【００１５】
請求項５に記載の発明は、請求項４に記載の発明において、孔を下方より塞ぐ下キャップとヒンジピンとの間にバネを介在させることにより、ヒンジ機構を小さくすることができ、コストを安くすることができる。
【００１６】
請求項６に記載の発明は、請求項３から５のいずれか一項に記載の発明において、孔を下方より塞ぐ下キャップを前記枠体に回転固定することにより、作業性をよくすることができる。
【００１７】
請求項７に記載の発明は、請求項５または６に記載の発明において、孔を下方より塞ぐ下キャップとヒンジピンとの間に介在するバネの上端面を、ヒンジピンを通すための孔の下端面より下方に位置させることによりばねの引っかかりによるピンの押し上げ不足をなくすことができ、市場の品質を確保することができる。
【００１８】
請求項８に記載の発明は、請求項１から７のいずれか一項に記載の発明において、ヒンジピンの上部を覆う上キャップを有し、前記上キャップを前記ヒンジ本体の孔に下方より挿入することにより、ヒンジピンをバネの力により押し上げて穴の下から挿入でき、作業性をよくすることができる。
【００１９】
請求項９に記載の発明は、請求項８に記載の発明において、ヒンジピンの上部を覆う上キャップの周縁にフランジを形成したことによりバネの力により押し上げられるピンを直接穴に入れなくても、フランジ部に当てて滑らせながら上キャップに挿入でき作業性をよくすることができる。
【００２０】
請求項１０に記載の発明は、請求項８または９に記載の発明において、ヒンジピンの上部を覆う上キャップの外周にリブを形成したことにより、コストを安く抑えることができ、作業性もよくすることができる。
【００２１】
以下、本発明の実施の形態について、図面を参照しながら説明するが、従来例または先に説明した実施の形態と同一符号を付して、その詳細な説明は省略する。なお、この実施の形態によってこの発明が限定されるものではない。
【００２２】
（実施の形態１）
図１は本発明の実施の形態１における冷蔵庫の扉を開けた斜視図、図２は同実施の形態の冷蔵庫の扉のヒンジ部の断面図、図３は同実施の形態の冷蔵庫の扉のヒンジ部を覆う枠体の要部斜視図、図４は、図３の枠体を下方からみた平面図、図５は、同実施の形態の冷蔵庫の扉のヒンジ部の構成部品の斜視図である。
【００２３】
図１から図５において、冷蔵庫１の上部に冷蔵室２、下部に冷凍室３を有し、冷蔵室２の前面開口部を塞ぐ回転式の冷蔵室扉４を備えている。冷蔵室扉４はヒンジ部５で回転支持され、ヒンジ部５はそれぞれ別体に構成したヒンジ本体６とヒンジピン７とを有し、冷蔵室扉４の上部には樹脂で成形した枠体８を有している。そして、枠体８にはヒンジ部５を収納するために後方のみに開口部９を有した収納部１０を備えている。また、枠体８の開口部９の高さ寸法Ａはヒンジピン７の長さＢより小さく設定している。また、冷蔵庫１の上面にはテーブル１１を有し、冷蔵庫１の天面にヒンジ本体６を固定した固定部を覆い隠すように取付けられる。そして、テーブル１１と枠体８とは上端面が略面一になっている。なお、ヒンジピン７の上下端面には面取りを施している。
【００２４】
ヒンジ部５の構成を詳細に説明すると、枠体８の収納部１０の下部にはヒンジピン７を通すための孔１２を備え、孔１２を下方より塞ぐ下キャップ１３を有する。また、下キャップ１３の上面外周には固定リブ１４を備え、枠体８の固定爪１５に回転固定される。その後、冷蔵室扉４の前面板および内板（図示せず）との空間内に断熱材を充填発泡し冷蔵室扉４を形成する。
【００２５】
また、ヒンジ本体６は外側に向かって湾曲形状とし、先端近傍に孔１６を有し、ヒンジピン７の上部を覆うための上キャップ１７をヒンジ本体６の孔１６の下方より挿入する。そして、上キャップ１７の下端周縁にフランジ１８を形成するとともに、上キャップ１７の外周上下方向に孔１６の内径より若干大きくなるようにリブ１９を形成している。また、ヒンジピン７の下方にはバネ２０を配置している。
【００２６】
次に、ヒンジ部の組込みについて説明する。
【００２７】
冷蔵室扉４の枠体８に回転固定した下キャップ１３内に、枠体８の孔１２からバネ２０を挿入し、さらにバネ２０の上部にヒンジピン７を挿入する。一方、ヒンジ本体６の孔１６の下方より上キャップ１７を挿入固定し、冷蔵室扉４の下部ヒンジ（図示せず）を組込んだ後、ヒンジピン７をバネ２０の抗力に反して押し込みながらヒンジピン７の上端を、上キャップ１７を介してヒンジ本体６の孔１６に挿入することでヒンジ部の組込みが完了する。なお、この組み込まれた状態でバネ２０の上端面は下キャップ１３に覆われる筒状の孔１２の下端面２１より下方に位置させている。
【００２８】
上記構成により、冷蔵室扉４は、ヒンジ部５をそれぞれ別体に構成したヒンジ本体６とヒンジピン７とを備え、冷蔵室扉４の上部に樹脂で成形した枠体８にはヒンジ部５を収納するために後方のみに開口部９を有した収納部１０を有し、ヒンジピン７は下方より上方へ付勢するバネ２０を備えたことにより、コンパクトな構造でヒンジ部の高さを低くでき、冷蔵室扉４のヒンジ部５の外観意匠を向上させることができる。
【００２９】
また、枠体８の収納部１０の開口部９の高さ寸法Ａはヒンジピン７の長さＢより小さく設定しているので、ヒンジ部５の強度を高めた上で、ヒンジ部５の高さを低くでき、冷蔵室扉４のヒンジ部５の外観意匠を向上させることができ、特に上方からヒンジ部が見える背の低い冷蔵庫や小型の冷蔵庫等に有効である。
【００３０】
また、枠体８の収納部１０の下部にはヒンジピン７を通すための孔１２を備え、孔１２を下方より塞ぐ下キャップ１３を有しているので、ヒンジピン７の組込が容易、かつ確実に行なうことができる。
【００３１】
また、下キャップ１３内でヒンジピン７との間にバネ２０を介在させることで、簡易な構造でヒンジピン７を下方より上方へ付勢することができる。
【００３２】
また、枠体８の孔１２を下方より塞ぐ下キャップ１３の上面外周には固定リブ１４を備え、枠体８の固定爪１５に回転固定しているので、ヒンジピン７およびバネ２０を内蔵する下キャップ１３を容易に組み込めるので組立時の作業性が向上する。
【００３３】
また、ヒンジピン７の上部を覆うための上キャップ１７をヒンジ本体６の孔１６の下方より挿入しているので、ヒンジピン７のヒンジ本体６の孔１６への位置決めが容易かつ確実に行なうことができる。
【００３４】
また、上キャップ１７の下端周縁にフランジ１８を形成するとともに、上キャップ１７の外周上下方向にリブ１９を形成しているので、上キャップ１７のヒンジ本体６の孔１６へ下から取り付けても落下することなく組立性が向上する。
【００３５】
また、ヒンジピン７の下方に配置するバネ２０の上端面は下キャップ１３に覆われる筒状の孔１２の下端面２１より下方に位置させているので、ヒンジピン７を上方に付勢するバネ２０が筒状の孔１２の下端面２１に接触してヒンジピン７の押し上げ不足をなくすことができ、信頼性を高めることができる。
【００３６】
なお、組立時、ヒンジピン７をバネ２０の抗力に反して押し込みながらヒンジピン７の上端を上キャップ１７を介してヒンジ本体６の孔１６に挿入することでヒンジ部５の組込が容易、かつ確実に行なうことができる。
【産業上の利用可能性】
【００３７】
以上のように、本発明にかかる冷蔵庫用扉は、扉の上部に設置された樹脂製の枠体のヒンジ機構を収納する収納部をコンパクトにでき、冷蔵庫用扉のヒンジ部の外観意匠を向上させることができるので、扉体のヒンジ部に枠体を備えた収納庫等の扉体等にも適用できる。
【図面の簡単な説明】
【００３８】
【図１】本発明の実施の形態１における冷蔵庫の扉を開けた斜視図
【図２】同実施の形態の冷蔵庫の扉のヒンジ部の断面図
【図３】同実施の形態の冷蔵庫の扉のヒンジ部を覆う枠体の要部斜視図
【図４】図３の枠体を下方からみた平面図
【図５】同実施の形態の冷蔵庫の扉のヒンジ部の構成部品の斜視図
【図６】従来の冷蔵庫の扉の要部分解斜視図
【符号の説明】
【００３９】
４    冷蔵室扉（冷蔵庫用扉）
５    ヒンジ部
６    ヒンジ本体
７    ヒンジピン
８    枠体
９    開口部
１０  収納部
１２  孔
１３  下キャップ
１６  孔
１７  上キャップ
１８  フランジ
１９  リブ
２０  バネ
２１  下端面
【図１】
2007132533.tif 000003
【図２】
2007132533.tif 000004
【図３】
2007132533.tif 000005
【図４】
2007132533.tif 000006
【図５】
2007132533.tif 000007
【図６】
2007132533.tif 000008